【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
主走査方向に往復駆動されるキャリッジに設けられたインクジェット記録ヘッドと、
前記キャリッジから独立して設けられるインクカートリッジと、
前記インクジェット記録ヘッドと前記インクカートリッジとを連通するインク流路が形成された可撓性帯状部材と、を備えた記録装置において、前記可撓性帯状部材を前記記録装置の基体側に保持する可撓性帯状部材の保持装置であって、
前記可撓性帯状部材に、前記インクカートリッジへ向かうインク流路と前記キャリッジへ延びるインク流路とが平行に延びる様に、平面視略コの字形の形状によって成された方向反転部が形成され、
前記インクカートリッジへ向かうインク流路と前記キャリッジへ向かうインク流路とが平行に延びた状態を維持する様に前記方向反転部におけるコの字形の形状の中央を湾曲させることによって形成された湾曲部を収容する収容部を有し、
前記湾曲部の前記収容部内における自己復帰習性を利用して、前記収容部内に前記湾曲部を保持する、
ことを特徴とする可撓性帯状部材の保持装置。
【請求項２】
請求項１において、前記収容部内に爪部が形成され、当該爪部によって前記湾曲部を前記収容部内に係止させる、
ことを特徴とする可撓性帯状部材の保持装置。
【請求項３】
請求項１または２において、前記インクカートリッジが主走査方向と直交する方向にスライド可能に設けられ、
前記収容部を出て前記インクカートリッジへ向かう前記可撓性帯状部材が、その平坦面が略水平となる姿勢で前記記録装置の後方側に向けて延びた後に湾曲反転して前記インクカートリッジへ向けて延び、
前記収容部を出て前記キャリッジへ向かう前記可撓性帯状部材が、その平坦面が略垂直となる姿勢で主走査方向に平行に延びる、
ことを特徴とする可撓性帯状部材の保持装置。
【請求項４】
キャリッジに設けられた記録ヘッドと、
前記キャリッジから独立して設けられるインクカートリッジと、
前記記録ヘッドと前記インクカートリッジとを連通するインク流路が形成された可撓性帯状部材と、を備えた記録装置において、前記可撓性帯状部材を前記記録装置の基体側に保持する可撓性帯状部材の保持装置であって、
前記可撓性帯状部材に、前記インクカートリッジへ向かうインク流路と前記キャリッジへ延びるインク流路とが平行に延びる様に方向反転部が形成され、
前記方向反転部を湾曲させることによって形成された湾曲部を収容する収容部を有し、
前記湾曲部の前記収容部内における自己復帰習性を利用して、前記収容部内に前記湾曲部を保持する、
ことを特徴とする可撓性帯状部材の保持装置。
【請求項５】
キャリッジに設けられた記録ヘッドと、
前記キャリッジから独立して設けられるインクカートリッジと、
前記記録ヘッドと前記インクカートリッジとを連通するインク流路が形成された可撓性帯状部材と、
前記可撓性帯状部材を前記記録装置の基体側に保持する可撓性帯状部材の保持装置と、を備えた記録装置であって、
前記可撓性帯状部材の保持装置が、請求項１から４のいずれか１項に記載された前記可撓性帯状部材の保持装置である、
ことを特徴とする記録装置。
【手続補正２】
【補正対象書類名】明細書
【補正対象項目名】０００１
【補正方法】変更
【補正の内容】
【０００１】
本発明は、主走査方向に往復駆動されるキャリッジに設けられたインクジェット記録ヘッドと、前記キャリッジから独立して設けられるインクカートリッジと、前記インクジェット記録ヘッドと前記インクカートリッジとを連通する為のインク流路が形成された可撓性帯状部材と、を備えた記録装置において、前記可撓性帯状部材を前記記録装置の基体側に保持する可撓性帯状部材の保持装置およびこれを備えた記録装置に関する。
【手続補正３】
【補正対象書類名】明細書
【補正対象項目名】０００２
【補正方法】削除
【補正の内容】
【手続補正４】
【補正対象書類名】明細書
【補正対象項目名】０００３
【補正方法】削除
【補正の内容】
【手続補正５】
【補正対象書類名】明細書
【補正対象項目名】０００８
【補正方法】変更
【補正の内容】
【０００８】
上記課題を解決する為に、本発明の第１の態様は、主走査方向に往復駆動されるキャリッジに設けられたインクジェット記録ヘッドと、前記キャリッジから独立して設けられるインクカートリッジと、前記インクジェット記録ヘッドと前記インクカートリッジとを連通するインク流路が形成された可撓性帯状部材と、を備えた記録装置において、前記可撓性帯状部材を前記記録装置の基体側に保持する可撓性帯状部材の保持装置であって、前記可撓性帯状部材に、前記インクカートリッジへ向かうインク流路と前記キャリッジへ延びるインク流路とが平行に延びる様に、平面視略コの字形の形状によって成された方向反転部が形成され、前記インクカートリッジへ向かうインク流路と前記キャリッジへ向かうインク流路とが平行に延びた状態を維持する様に前記方向反転部におけるコの字形の形状の中央を湾曲させることによって形成された湾曲部を収容する収容部を有し、前記湾曲部の前記収容部内における自己復帰習性を利用して、前記収容部内に前記湾曲部を保持することを特徴とする。
【手続補正６】
【補正対象書類名】明細書
【補正対象項目名】００１０
【補正方法】変更
【補正の内容】
【００１０】
本発明の第２の態様は、上記第１の態様において、前記収容部内に爪部が形成され、当該爪部によって前記湾曲部を前記収容部内に係止させることを特徴とする。  
上記第２の態様によれば、前記収容部内に爪部が形成され、当該爪部によって前記湾曲部を前記収容部内に係止させるので、前記可撓性帯状部材の自己復帰習性による保持力を補助してより確実に前記湾曲部を前記収容部内に保持することができる。
【手続補正７】
【補正対象書類名】明細書
【補正対象項目名】００１１
【補正方法】変更
【補正の内容】
【００１１】
本発明の第３の態様は、上記第１のまたは第２の態様において、前記インクカートリッジが主走査方向と直交する方向にスライド可能に設けられ、前記収容部を出て前記インクカートリッジへ向かう前記可撓性帯状部材が、その平坦面が略水平となる姿勢で前記記録装置の後方側に向けて延びた後に湾曲反転して前記インクカートリッジへ向けて延び、前記収容部を出て前記キャリッジへ向かう前記可撓性帯状部材が、その平坦面が略垂直となる姿勢で主走査方向に平行に延びることを特徴とする。  
上記第３の態様によれば、前記キャリッジが主走査方向に移動するとともに、前記インクカートリッジが主走査方向と直交する方向にスライドするので、前記可撓性帯状部材を保持するとともにその姿勢を変化させる必要があるが、上記第１のまたは第２の態様により、少ない構成要素によって低コストに前記可撓性帯状部材を保持しながら、前記収容部において前記可撓性帯状部材の姿勢を変化させることができ、前記可撓性帯状部材の取り回しに大きな空間を必要とせず、省スペース化を図ることができる。  
本発明の第４の態様は、キャリッジに設けられた記録ヘッドと、前記キャリッジから独立して設けられるインクカートリッジと、前記記録ヘッドと前記インクカートリッジとを連通するインク流路が形成された可撓性帯状部材と、を備えた記録装置において、前記可撓性帯状部材を前記記録装置の基体側に保持する可撓性帯状部材の保持装置であって、前記可撓性帯状部材に、前記インクカートリッジへ向かうインク流路と前記キャリッジへ延びるインク流路とが平行に延びる様に方向反転部が形成され、前記方向反転部を湾曲させることによって形成された湾曲部を収容する収容部を有し、前記湾曲部の前記収容部内における自己復帰習性を利用して、前記収容部内に前記湾曲部を保持することを特徴とする。
【手続補正８】
【補正対象書類名】明細書
【補正対象項目名】００１２
【補正方法】変更
【補正の内容】
【００１２】
本発明の第５の態様は、キャリッジに設けられた記録ヘッドと、前記キャリッジから独立して設けられるインクカートリッジと、前記記録ヘッドと前記インクカートリッジとを連通するインク流路が形成された可撓性帯状部材と、前記可撓性帯状部材を前記記録装置の基体側に保持する可撓性帯状部材の保持装置と、を備えた記録装置であって、前記可撓性帯状部材の保持装置が、上記第１から第４の態様のいずれかに係る前記可撓性帯状部材の保持装置であることを特徴とする。  
上記第５の態様によれば、記録装置において、上述した第１から第４の態様と同様な作用効果を得ることができる。